(57)【特許請求の範囲】
【請求項１】
画像データ上より検出された顔領域、および、ユーザーの指示に応じて選択された領域の少なくともいずれかに応じた複数の領域における輝度情報を求め、該輝度情報から露出制御に用いる露出値を算出する制御手段を有するカメラにおいて、
前記複数の領域それぞれに位置する被写体を判別し、前記被写体が移動した場合には、前記被写体が新たに位置する領域を検出する追尾手段と、
前記複数の領域それぞれの輝度情報を示す複数の輝度情報目盛りを表示するための表示部と前記画像データに基づく画像を表示するための表示部を有し、前記画像データ上に前記複数の領域それぞれを示す枠を表示するものであって、それぞれの輝度情報目盛りがどの枠に対応するのかを識別可能な形態にて表示する表示手段を有し、
前記制御手段は、前記追尾手段にて検出された領域を、新たに選択された領域として設定し、前記新たに選択された領域の輝度情報を含めて前記露出値を算出し直すことを特徴とするカメラ。
【請求項２】
前記制御手段は、前記追尾手段が前記被写体の新たな位置に対応する領域の検出に失敗した場合には、検出に失敗した前記領域を除いて前記輝度情報および前記露出値を算出することを特徴とする請求項１に記載のカメラ。
【請求項３】
前記表示手段は、さらに、前記複数の領域それぞれの輝度情報の平均値を示す輝度情報目盛りを表示することを特徴とする請求項１または２に記載のカメラ。
【発明の詳細な説明】
【技術分野】
【０００１】
本発明は、画像データ上より選択された複数の領域の輝度情報を求めて露出値を算出し、露出制御を行うカメラに関するものである。
【背景技術】
【０００２】
撮影画面を多数に分割し、分割された複数の領域に対応する複数ポイントでそれぞれ測光を行うマルチスポット測光が知られている。特許文献１には、オートフォーカス（ＡＦ）ポイントに対応する測光領域で測光を行うカメラについて開示されている。
【０００３】
上記カメラは、ＡＦポイントを選択すると、選択ＡＦポイントに対応する測光領域で得られる輝度値を表示する。ＡＦポイントを変更すると、変更後のＡＦポイントに対応する測光領域で輝度情報を得た上で、前回の輝度情報との間で平均値をさらに算出して表示する。特許文献１のカメラは、さらに各ポイントによる輝度情報の平均値に対する分布を示すバー表示を行うことが開示されている。
【特許文献１】特開２０００−８１６４７号公報
【発明の開示】
【発明が解決しようとする課題】
【０００４】
上記マルチスポット測光では、マルチスポット測光領域が、撮影画角内における位置が固定されたＡＦポイントに対応しているため、マルチスポット測光領域の対象としていた被写体がＡＦポイントから外れた場合に、被写体を追尾することができない。そのため、その後に被写体が動いた場合やカメラの向きを変えられた場合には、マルチスポット測光の対象領域が、意図した被写体から外れてしまい、ユーザーの所望する被写体を中心とした輝度情報を得ることができなかった。
【０００５】
また、ＡＦポイントを選択した際に、そのＡＦポイントに対応する測光領域で得られた輝度情報を保持することで上記課題を回避することが考えられる。しかしながら、このような構成にすると、撮影直前になって被写体の輝度が変化した場合に対応することができなかった。
【０００６】
また、バー表示において、それぞれのマルチスポット測光領域の輝度情報を示すマークが同じ表示形態であるため、どのマークがどのマルチスポット測光領域の輝度値を示しているかを認識させることができなかった。
【０００７】
（発明の目的）
本発明の目的は、輝度情報を求めるための領域が選択された後に輝度が変わった場合や構図変更があった場合にも、所望の被写体が位置する領域での輝度情報に基づいた露出値を算出し、ユーザーに認識させることのできるカメラを提供しようとするものである。
【課題を解決するための手段】
【０００８】
上記目的を達成するために、本発明は、画像データ上より検出された顔領域、および、ユーザーの指示に応じて選択された領域の少なくともいずれかに応じた複数の領域における輝度情報を求め、該輝度情報から露出制御に用いる露出値を算出する制御手段を有するカメラにおいて、前記複数の領域それぞれに位置する被写体を判別し、前記被写体が移動した場合には、前記被写体が新たに位置する領域を検出する追尾手段と、前記複数の領域それぞれの輝度情報を示す複数の輝度情報目盛りを表示するための表示部と前記画像データに基づく画像を表示するための表示部を有し、前記画像上に前記複数の領域それぞれを示す枠を表示するものであって、前記複数の領域それぞれを示す枠と前記複数の輝度情報目盛りそれぞれを対応づけて表示する表示手段を有し、前記制御手段が、前記追尾手段にて検出された領域を、新たに選択された領域として設定し、前記新たに選択された領域の輝度情報を含めて前記露出値を算出し直すカメラとするものである。
【発明の効果】
【０００９】
本発明によれば、輝度情報を求めるための領域が選択された後に輝度が変わった場合や構図変更があった場合にも、所望の被写体が位置する領域での輝度情報に基づいた露出値を算出し、ユーザーに認識させることができるカメラを提供できるものである。
【発明を実施するための最良の形態】
【００１０】
本発明を実施するための最良の形態は、以下の実施例に示す通りである。
【実施例】
【００１１】
図１は本発明の一実施例に係わるカメラの概略を示す構成図である。図１において、１０１は撮影レンズである。１０２はＡＦ駆動回路部であり、例えばＤＣモータやステッピングモータを具備しており、マイクロコンピュータ１２３の制御によって撮影レンズ１０１内のフォーカスレンズ位置を変化させることによりピントを合わせる。１０３はズーム駆動回路部であり、例えばＤＣモータやステッピングモータを具備しており、マイクロコンピュータ１２３の制御によって撮影レンズ１０１内の変倍レンズ位置を変化させることにより焦点距離を変化させる。１０４は絞り、１０５は絞り１０４を駆動する絞り駆動回路部である。絞り１０４の駆動量はマイクロコンピュータ１２３によって制御され、光学的な絞り値を変化させる。
【００１２】
１０６は撮影レンズ１０１を透過した光束をファインダ側と後述の撮像素子側へと切り換えるためのミラーである。このミラー１０６は、常時はファインダ部へと光束を導くよう反射させるように配されているが、撮影が行われる場合には、撮像素子１１２へと光束を導くように図１中上方に跳ね上げられる。つまり、光束中から待避させられる。またミラー１０６はその中央部が光の一部を透過できるようにハーフミラーとなっており、光束の一部を焦点検出を行うためのセンサに導かれるよう透過させられるようになっている。
【００１３】
１０７はサブミラーであり、ミラー１０６から透過して来た光束を反射させ、焦点検出を行うためのＡＦセンサに導くために反射させる。１０８はファインダを構成するペンタプリズムである。ファインダは、他にピント板、アイピースレンズ（不図示）などによって構成される。１０９は焦点検出回路であり、ミラー１０６の中央部を透過し、サブミラー１０７で反射された光束が内部に配された光電変換を行うためのＡＦセンサに導かれる。フォーカス演算に用いるデフォーカス量は、画角の予め定められた位置に設けられた複数のＡＦセンサの出力を演算することによって求められる。演算結果を評価してマイクロコンピュータ１２３がＡＦ駆動回路１０２に通信し、撮影レンズ１０１のフォーカスレンズを駆動する。
【００１４】
１１０は後幕フォーカルプレーンシャッタであり、シャッタ駆動回路１１１により駆動される。シャッタの開口時間はマイクロコンピュータ１２３によって制御される。一方で、先幕電子シャッタを制御すべく、後述する撮像素子の露光開始タイミングがマイクロコンピュータ１２３によって制御される。
【００１５】
１１２は撮像素子であり、ＣＣＤやＣＭＯＳセンサなどが用いられ、撮影レンズ１０１によってこの撮像素子上に結像された被写体像を光電変換して電気信号として取り出す。この撮像素子１１２はシャッタ駆動回路１１１により露光開始タイミングを制御される。
【００１６】
１１３はクランプ回路であり、１１４はＡＧＣ（オートゲインコントロール）部であり、Ａ／Ｄ変換される前の基本的なアナログ信号処理を行う。マイクロコンピュータ１２３により、クランプレベルやＡＧＣ基準レベルの変更が行われる。１１５はＡ／Ｄ変換部であり、アナログのＡＧＣ部出力信号をデジタル信号に変換する。
【００１７】
１１６は映像信号処理回路であり、一般的にはゲートアレイなどのロジックデバイスにて実現される。映像信号処理回路１１６は、デジタル化された画像データに、フィルタ処理、色変換処理、ガンマ処理を行い、ＪＰＥＧなどの圧縮処理を行い、メモリコントローラ１１９に出力する。一方で、この映像信号処理回路１１６は、Ｄ／Ａ変換部も内蔵されており、撮像素子１１２から入力される映像信号や、メモリコントローラ１１９から逆に入力される画像データをアナログ信号に変換する。そして、ＥＶＦ駆動回路１１７を通してＥＶＦモニタ１１８に出力することも可能である。これらの機能切り換えはマイクロコンピュータ１２３の指示により行われる。映像信号処理回路１１６は、必要に応じて撮像素子１１２からの信号の露出情報やホワイトバランスなどの情報をマイクロコンピュータ１２３に出力することが可能である。それらの情報を基にマイクロコンピュータ１２３はホワイトバランスやゲイン調整の指示を行う。
【００１８】
また、映像信号処理回路１１６は、画像データの中から、人物の顔を検出する顔検出処理を実行する。顔検出の方法としては、一般的にニューラルネットワークに代表される学習を用いた方法、目や鼻といった物理的な形状の特徴のある部位を画像領域からテンプレートマッチングを用いて検出する手法が提案されている。さらには、肌の色や目の形といった画像特徴量を検出し、統計的解析を行う手法など、多数提案されている。一般的にはそれらの方法を複数組み合わせて顔認識される。現在製品として提案されているものとしては、ウェーブレット変換と画像特徴量を利用して顔検出する方法などや、テンプレートマッチング等を組み合わせた方法やその他、多数の顔検出方法がある。
【００１９】
連続撮影動作の場合においては、一旦、未処理画像のままバッファメモリ１２２に撮影データを格納し、メモリコントローラ１１９を通して未処理の画像データを読み出し、映像信号処理回路１１６にて画像処理や圧縮処理を行い、連続撮影を行う。連像撮影枚数は、バッファメモリ１２２の大きさに左右される。メモリコントローラ１１９では、映像信号処理回路１１６から入力された未処理のデジタル画像データをバッファメモリ１２２に格納する。そして、処理済みのデジタル画像をメモリ１２０に格納する。また、逆にバッファメモリ１２２やメモリ１２０から画像データを映像信号処理回路部１１６に出力したりする。メモリ１２０は取り外し自由である場合もある。
【００２０】
１２１はコンピュータ等と接続可能な外部インターフェースであり、メモリコントローラ１１９は、コンピュータ等と接続可能な外部インターフェース１２１にメモリ１２０に記憶されている画像を出力可能である。
【００２１】
１２４は操作状態検出部であり、マイクロコンピュータ１２３に該操作状態検出部１２４に接続されたスイッチの状態を伝え、マイクロコンピュータ１２３はその状態変化に応じて各部をコントロールする。１２５は撮影準備用のスイッチ（以下、スイッチＳＷ１）、１２６はレリーズ用のスイッチ（以下、スイッチＳＷ２）である。スイッチＳＷ１とスイッチＳＷ２はレリーズ釦の操作でオンオフするスイッチであり、それぞれ操作状態検出部１２４に接続されたスイッチのうちの一つである。スイッチＳＷ１のみオンの状態はレリーズ釦半押し状態であり、このスイッチＳＷ１がオンされた時点での被写体の輝度やＡＦ評価値に基づいて、本撮影時の焦点位置や露出値が決定される。スイッチＳＷ１，ＳＷ２が共にオンの場合は、スイッチＳＷ１のオンに応じて決定された焦点位置や露出値にて本撮影が行われ、静止画像が記録される。この状態で撮影が行われる。また、スイッチＳＷ１，ＳＷ２が押し続けられている間は、連続撮影動作が行われる。
【００２２】
操作状態検出部１２４には、他に、ＩＳＯ設定スイッチ、画像サイズ設定スイッチ、画質設定スイッチ、情報表示スイッチなど不図示の操作スイッチが接続されており、これらのスイッチ状態を検出している。
【００２３】
１２７は液晶駆動回路であり、マイクロコンピュータ１２３の表示内容命令に従って外部液晶表示部１２８やファインダ内液晶表示部１２９を駆動する。ファインダ内液晶表示部１２９には、不図示のＬＥＤなどのバックライトが配置されており、そのＬＥＤも液晶駆動回路１２７で駆動される。
【００２４】
マイクロコンピュータ１２３は、撮影前に設定されているＩＳＯ感度、画像サイズ、画質に応じた、画像サイズの予測値データをもとに、メモリコントローラ１１９を通して、メモリの容量を確認した上で撮影可能残数を演算することができる。必要に応じて外部液晶表示部１２８やファインダ内液晶表示部１２９にも撮影可能残数を表示することができる。
【００２５】
１３０は不揮発性メモリ（ＥＥＰＲＯＭ）であり、カメラに電源が入れられていない状態でも、データを保存することができる。１３１は電源部であり、各ＩＣや駆動系に必要な電源を供給する。１３２はライブビュー設定ボタンであり、ライブビューモードのオンとオフを切り換えるためのものである。ライブビューモードが設定されると、ミラー１０６およびサブミラー１０７が光路から退避させられ、撮像素子１１２で生成された画像データが動画としてＥＶＦモニタ（電子ビューファインダ）１１８に表示される。これにより、ＥＶＦモニタ１１８にて被写体の様子をリアルタイムで観察できるようになる。
【００２６】
１３３はマルチスポット測光ボタンであり、選択された領域から得られた輝度情報のみを用いて、露出制御を行うマルチスポット測光モードを設定するためのものである。
【００２７】
１３４はタッチペンであり、マルチスポット測光モードが設定された場合に、マルチスポット測光の対象となる領域を選択するためのものである。本実施例では、測光領域が予め多数の領域に分割されており、ＥＶＦモニタ１１８には感応センサが搭載され、タッチペン１３４が接触したいずれかの領域を、マルチスポット測光の対象領域とする。この領域の１つ１つの大きさは、公知のスポット測光と同程度の大きさとすればよい。なお、タッチペン１３４の代わりに、このカメラのユーザーが指で直接接触した位置を中心として、マルチスポット測光の対象領域を設定するような構成としても構わない。
【００２８】
図２は、上記構成を持つカメラの背面を示す図である。
【００２９】
ＥＶＦモニタ１１８の右側に、ライブビュー設定ボタン１３２、マルチスポット測光ボタン１３３が配置されている。勿論、これらの位置関係は自由に設計することが可能である。ライブビュー設定ボタン１３２がオンされると、カメラ背面のＥＶＦモニタ１１８に撮影画像をリアルタイムに取り込むライブビューモードが設定される。そして、ライブビューモード時に、マルチスポット測光ボタン１３３が押されると、マルチスポット測光モードが設定される。本実施例では、このマルチスポット測光モードが設定されると、映像信号処理回路１１６にて顔検出処理が開始され、被写体画像から顔部分が検出されてそこがマルチスポット測光領域として登録される。
【００３０】
次に、図３のフローチャートを用いて、マルチスポット測光ボタン１３３にてマルチスポット測光モードが設定された場合の動作について説明する。本実施例では、マルチスポット測光の対象となる複数の被写体のそれぞれに対して、カウント値を割り振る。同一の被写体が継続して検出されれば、その被写体に対しては同一のカウント値を割り振り、新たな被写体が指定されれば新たなカウント値が割り振られる。
【００３１】
後述するステップＳ１０２乃至Ｓ１０６では、上述した顔検出処理を用いて画像データから検出された顔に対してカウント値を割り振る。そして、ステップＳ１０７乃至Ｓ１１１ではタッチペンで指定された被写体に対してカウント値を割り振る。そして、ステップＳ１１２乃至Ｓ１１４では、ステップＳ１０２乃至Ｓ１１１で検出された全ての被写体に対して、マルチスポット測光における表示の制御と、露出制御を実行する。
図３において、ライブビュー設定ボタン１３２にてライブビューモードに設定され、マルチスポット測光ボタン１３３が押されると、マルチスポット測光モードが設定される。すると、マイクロコンピュータ１２３は、まずステップＳ１０１にて、カウント値を初期値０に設定する。このカウント値は、検出した顔（人物）の数を示す値である。次のステップＳ１０２では、映像信号処理回路１１６に対し、取得した画像データを用いて上記した方法により顔検出処理を行わせる。
【００３２】
次のステップＳ１０３では、マイクロコンピュータ１２３は、上記ステップＳ１０２にて映像信号処理回路１１６により検出された顔の中から１つの顔を選択し、この選択した顔が、新たな顔であるか否かを判定する。その結果、初めての顔（人物）が検出された場合は新たな顔が検出されたものと判定してステップＳ１０４へ進むが、顔が検出されなかった場合には直ちにステップＳ１０６へ進む。
【００３３】
ここで、検出された顔が新たな顔であるかは、例えば、既に検出されていた顔と新たに検出された顔の画面上での位置や大きさを比較し、所定の範囲内であれば、既に検出されていた顔と同一人物であると判定すればよい。あるいは、検出された顔の形状を数値化した特徴量を演算し、新たな顔と既に検出されていた顔の特徴量を比較して、これらの差分が閾値以内であれば、既に検出されていた顔と同一人物であると判定してもよい。
【００３４】
上記ステップＳ１０３にて新たな顔が検出されたと判定した場合はステップＳ１０４へ進み、マイクロコンピュータ１２３は、カウント値を１つ増やす。そして、次のステップＳ１０５にて、上記ステップＳ１０４にて求めたカウント値を、上記ステップＳ１０３にて新たな顔と判定した領域と関連付けて記憶する。そして、これらの顔領域の中心位置を基準として、所定の半径で構成された円に囲まれた領域をマルチスポット測光領域とし、その座標を記憶する。続くステップＳ１０６では、上記ステップＳ１０２で検出された顔が複数である場合もあるので、全ての顔に対して上記ステップＳ１０３〜Ｓ１０５の処理が行われたか否かを判定する。全ての顔に対して上記ステップＳ１０３〜Ｓ１０５の処理が行われていなければ、全ての顔に対して処理が終了するまで上記ステップＳ１０３〜Ｓ１０５の処理を繰り返す。
【００３５】
以上の処理により、検出した全ての顔に対してカウント値が割り振られる。検出した顔が、それよりも前のフレームで既に検出されていた顔であれば、ステップＳ１０３から直接ステップＳ１０６に進むため、カウント値が更新されずに保持される。検出した顔が、初めて検出された顔であれば、ステップＳ１０３からステップＳ１０４に進むため、新たなカウント値が割り振られることになる。
【００３６】
その後、全ての顔に対して処理が終了したことを判定するとステップＳ１０７へ進み、マイクロコンピュータ１２３は、ユーザーによりタッチペン１３４で新たな選択領域が指定（入力）されたことの有無を検出する。これは、顔検出に失敗した顔領域や、顔以外の被写体であっても、タッチペン１３４を利用することによって、マルチスポット測光の対象となる被写体として追加できるようにするためである。
【００３７】
そして、次のステップＳ１０８にて、タッチペン１３４で新たな選択領域が指定されたか否かを判定し、新たな選択領域が指定されていなければ直ちにステップＳ１１１へ進み、新たな選択領域が指定されていればステップＳ１０９へ進む。
【００３８】
新たな選択領域が指定されたとしてステップＳ１０８からステップＳ１０９へ進むと、マイクロコンピュータ１２３は、カウント値を１つ増やす。そして、次のステップＳ１１０にて、上記ステップＳ１０９にて求めたカウント値を、上記ステップＳ１０８にて新たな選択領域と判定した領域と関連付けて記憶する。そして、これらの選択領域の中心位置を基準として、所定の半径で構成された円に囲まれた領域をマルチスポット測光領域とし、その座標を記憶する。
【００３９】
次のステップＳ１１１では、マイクロコンピュータ１２３は、映像信号処理回路１１６に動体追尾を行わせる。これは、次の２つのことを目的とした処理である。１つは、前の周期で検出できていた顔が、画角内に存在しているにも関わらず、今回の周期では何らかの理由で検出に失敗してしまっていた際に、これを救済するためである。もう１つは、新たにタッチペン１３４で選択された被写体が、前の周期で指定された被写体と同一の被写体であるかを判定するためである。なお、既に前の周期で検出されていた顔領域や選択領域を、以下、過去顔領域、過去選択領域という。
【００４０】
ここで、上記動体追尾について詳述する。まず、それぞれの過去顔領域、過去選択領域におけるコントラスト情報、形状情報、色情報、あるいは、領域サイズ等を数値化して特徴量を求める。そして、ステップＳ１０３と同様に、新たに取得した最新の画像データのうち、ステップＳ１０３で既に検出された顔であると判定された領域を除外した残りの領域の中から、同様の特徴量となる領域を検出する。そして、過去顔領域、過去選択領域と同一の被写体が占める領域を見つけたら、つまり被写体追尾できたら、その領域の中心位置に重畳する測光領域をマルチスポット測光領域として選択する。そして、対応する過去顔領域、過去選択領域と同じカウント値を割り当てる。この手法によれば、前回の周期で検出された顔領域が、直前のステップＳ１０２における顔検出で見失われた場合であっても、このステップＳ１１１にて再検出できることがある。
【００４１】
上記したように、ステップＳ１０５およびステップＳ１１０にて新たに検出された顔領域および選択領域には新たなカウント値が割り振られる。これに対し、ステップＳ１０３で既に検出された顔と同一人物であると判定された顔領域や、ステップＳ１１１にて検出された過去顔領域、過去選択領域と同一の被写体が占める領域には、新たなカウント値は割り振られない。つまり、同一の被写体に対しては見失わない限りは同じカウント値が割り振られ、新たに検出された被写体に対しては新たなカウント値が割り振られることになる。
【００４２】
動体追尾の後はステップＳ１１２へ進み、直前のステップＳ１０２〜Ｓ１１０にて検出されたマルチスポット測光領域と、ステップＳ１１１にて検出されたマルチスポット測光領域を足し合わせ、最新の画像データにおけるマルチスポット測光領域を決定する。
【００４３】
このように、新たに検出された顔領域や選択領域があれば、それらの領域がマルチスポット測光領域として新たに追加される。一方、過去の画像データからは検出できていたが、新たな画像データからは見失ってしまった顔領域や選択領域があれば、それらの領域をマルチスポット測光領域から除外する。つまり、マルチスポット測光領域に設定されていた被写体が撮影画角の外側に移動してしまえば、その被写体はマルチスポット測光の対象から除外され、新たに撮影画角内に侵入してきた被写体がいれば、その被写体はマルチスポット測光の対象に設定される。
【００４４】
次のステップＳ１１３では、上記ステップＳ１１２で統合された各々のマルチスポット測光領域に対して、マルチスポット測光領域を示す枠表示を、被写体画像に重畳して、ＥＶＦモニタ１１８に表示する。
【００４５】
ここで、マルチスポット測光領域を表示したＥＶＦモニタ１１８の画面について、図４を用いて説明する。撮像素子１１２にて生成された画像データを用いて、被写体像をリアルタイムで表示する画面の右側に、図４に示すように、各々のマルチスポット測光領域の輝度情報を目盛りでバー表示する輝度表示領域が設けられている。
【００４６】
図４（ａ）において、３０１〜３０５は各々のマルチスポット測光領域のそれぞれ異なる輝度情報目盛りである。この例では、輝度情報目盛り３０１が青色、輝度情報目盛り３０２が赤色、輝度情報目盛り３０３が緑色、輝度情報目盛り３０４が水色、輝度情報目盛り３０５をピンク色であるものとする。また、３０６は輝度情報目盛り３０１〜３０５に示される輝度情報の、下記の（１）式にて得られるマルチスポット測光領域の輝度の平均値を示す平均値目盛りである（ステップＳ１１４）。
0005094561.tif 000002
【００４７】
この平均値目盛り３０６が示す輝度情報を用いて露出値を算出し、露出制御を行うことになる（ステップＳ１１５）。
【００４８】
また、図４（ａ）において、４０１〜４０５はマルチスポット測光領域を示す枠表示であり、輝度情報目盛り３０１〜３０５のそれぞれに対応している。つまり、枠表示４０１は青色であり、円で示されるこの領域は青色の輝度情報目盛り３０１にて示される輝度情報であることを示している。同じく枠表示４０２は赤色であり、この領域は赤色の輝度情報目盛り３０２にて示される輝度情報であることを示している。同じく枠表示４０３は緑色であり、この領域は緑色の輝度情報目盛り３０３にて示される輝度情報であることを示している。同じく枠表示４０４は水色であり、この領域は水色の輝度情報目盛り３０４にて示される輝度情報であることを示している。同じく枠表示４０５はピンク色であり、この領域はピンク色の輝度情報目盛り３０５にて示される輝度情報であることを示している。
【００４９】
詳しくは、各マルチスポット測光領域に割り振られたカウント値には、そのカウント値別に上記のような色が割り当てられている。そして、マルチスポット測光領域の枠表示４０１〜４０５と、輝度情報目盛り３０１〜３０５は、その割り当てられた色で表示されることになる。これにより、ユーザーは、どの枠表示がどの輝度情報であるかを一目で把握することができる。また、各々の輝度情報目盛り３０１〜３０５と、平均値目盛り３０６を比較することで、本撮影時に、各々のマルチスポット測光領域における被写体の露出値を把握することも可能となる。
【００５０】
ユーザーがカメラの向きを変えることによって、図４（ｂ）に示すように、撮影画角内に位置する被写体に変化が生じると、撮影画角内から対応する被写体を見失った輝度情報目盛り３０４，３０５、および、枠表示４０４，４０５は消去される。そして、残った輝度情報目盛り３０１〜３０３が示す各輝度情報から平均値目盛り３０６が示す輝度情報が求められ、露出値が算出される。これは、マルチスポット測光領域の対象となる被写体が自ら動いて、撮影画角内から外れた場合でも同様の処理が行われる。
【００５１】
なお、ステップＳ１０３にて、一度撮影画角内から外れた顔が再び撮影画角内に戻ってきたことが判定された場合に、撮影画角内から外れる前と同じカウント値を割り振り、輝度情報目盛りと枠表示を撮影画角内から外れる前と同じ色で表示するようにしてもよい。
【００５２】
また、カウント値に応じて輝度情報目盛りと枠表示の色を区別する例を挙げて説明を行ったが、それぞれの輝度情報目盛りと枠表示の近傍に、カウント値を表示するようにしても構わない。それぞれの輝度情報目盛りと枠表示の対応関係が把握できるのであれば、その表示形態はこれらに限定されるものではない。
【００５３】
また、タッチペン１３４で選択領域を指定する例を用いて説明を行ったが、タッチペンの代わりに、カメラ本体に設けられたボタンを用いて、選択領域を指定しても構わない。
【００５４】
以上説明したように、本実施例によれば、マルチスポット測光領域として選択された被写体を追尾する機能を備えているため、マルチスポット測光領域の対象としたい被写体を選択した後でも、自由に構図を変化させることができる。つまり、マルチスポット測光領域が選択された後に輝度が変わった場合や構図変更があった場合にも、それに伴って輝度情報もリアルタイム更新させることができ、ＥＶＦ表示と整合した輝度情報を提供できる。さらに、タッチペン１３４などの操作部材を使ってマルチスポット測光領域の選択を出来るようにすることで、直感的な操作でユーザーの得たい輝度情報を得ることができる。
【００５５】
また、マルチスポット測光領域の対象とした被写体が動いた場合であっても、上記のように自動的に追尾してくれるため、ユーザーの負担が軽減される。つまり、ＥＶＦ表示上で顔検出した領域を自動で選択してマルチスポット測光演算をすることで、煩雑な操作をユーザーに強要することなく、該ユーザーの得たい輝度情報を得ることが出来る。換言すれば、カメラ側が被写体を認識し、マルチスポット測光領域を追尾してマルチスポット測光演算をやり直すことで、ユーザーは構図変更による測光のやり直しを意識しなくてよくなる。
【００５６】
さらに、撮影画角内から外れた被写体は自動的にマルチスポット測光領域の対象から外されるため、撮影画角内に存在する被写体が変化した場合であっても、マルチスポット測光領域をユーザーが再選択する手間が省ける。
【００５７】
更に、マルチスポット測光領域毎の輝度情報を、それらの対応関係が明確となるように形態にて表示（画面上の色、表示マーク、番号などを変えて）するようにしている。よって、一目で、どの被写体がどの程度の輝度情報（露出値）で撮影されるか、凡その判断をユーザーに容易に認識させることが可能となる。
【００５８】
なお、本実施例では、顔検出機能を有する例を挙げたが、顔検出機能は必ずしも必要ではない。顔検出機能を有さずに、動体追尾機能を有するカメラであっても、上記の効果を得ることができる。つまり、本実施例は、マルチスポット測光領域として選択された被写体を追尾する機能を有するものであれば、その追尾方法自体は、公知の様々な手法を適用することが可能である。
【００５９】
（本発明と実施例の対応）
マイクロコンピュータ１２３および映像信号処理回路１１６が、本発明の、画像データ上より選択された複数の領域における輝度情報を求め、該輝度情報から露出制御に用いる露出値を算出する制御手段に相当する。同じくマイクロコンピュータ１２３および映像信号処理回路１１６が、本発明の、複数の領域それぞれに位置する被写体を判別し、被写体が移動した場合には、被写体が新たに位置する領域を検出する追尾手段に相当する。また、映像信号処理回路１１６が、本発明の、画像データ上の顔領域を検出する顔検出手段に相当する。また、タッチペン１３４が本発明の操作部材に相当する。また、ＥＶＦ駆動回路１１７およびＥＶＦモニタ１１８が、本発明の、複数の領域それぞれの輝度情報を、それぞれの輝度情報がどの領域に対応するかを識別可能な形態にて表示する表示手段に相当する。
【００６０】
また、マイクロコンピュータ１２３が、本発明の、追尾手段が被写体の新たな位置に対応する領域の検出に失敗した場合には、検出に失敗した領域を除いて輝度情報および露出値を算出する制御手段に相当する。さらには、この制御手段は、操作手段にて選択された複数の選択領域における輝度情報に加え、顔検出手段にて検出された顔領域における輝度情報に基づいて露出値を算出する。
【図面の簡単な説明】
【００６１】
【図１】本発明の一実施例に係るカメラの概略構成を示す構成図である。
【図２】本発明の一実施例に係るカメラを示す背面図である。
【図３】本発明の一実施例に係るカメラのマルチスポット測光モードが設定された場合の動作を示すフローチャートである。
【図４】本発明の一実施例に係るカメラのマルチスポット測光領域を表示したＥＶＦモニタの画面を説明するための図である。
【符号の説明】
【００６２】
１０１  撮影レンズ
１０２  ＡＦ（オートフォーカス）駆動回路部
１０３  ズーム駆動回路部
１０９  焦点検出回路
１１２  撮像素子
１１６  映像信号処理回路
１１７  ＥＶＦ駆動回路
１１８  ＥＶＦモニタ
１１９  メモリコントローラ
１２０  メモリ
１２１  外部インターフェース
１２２  バッファメモリ
１２３  マイクロコンピュータ
１２４  操作状態検出部
１２７  液晶駆動回路
１３２  ライブビュー設定ボタン
１３３  マルチスポット測光ボタン
１３４  タッチペン
【図１】
0005094561.tif 000003
【図２】
0005094561.tif 000004
【図３】
0005094561.tif 000005
【図４】
0005094561.tif 000006